(57)【要約】【課題】エアポンプを備える場合であっても、使用者あるいは介護者の負担を十分に軽減するとともに、使用者の不快感を十分に低減することのできるポータブルトイレを提供。【解決手段】本発明のポータブルトイレは、洗浄水噴出口と空気噴出口を有するノズル部と、便器部内に配置されている第１の筐体と、第１の筐体内に配置されており、ノズル部に加圧空気を供給するエアポンプと、第１の筐体とエアポンプとの間に配置され、エアポンプを第１の筐体内に固定する弾性を有する第１の緩衝材とを有する。【選択図】図２
2011156140.tif 000002
【特許請求の範囲】
【請求項１】
用便用の開口部を有し使用者の排泄物を溜める汚物容器を有する便器部と、
前記便器部の前記開口部の後方に載置されており、前記使用者の局部を洗浄及び乾燥する装置を含む本体部と、
前記便器部の前記開口部上であって前記本体部の手前に載置されており、前記本体部に回動自在に軸支され、前記使用者が着座する着座面を有する便座部と、
前記便器部に設けられており、前記使用者の局部を洗浄するための洗浄水を貯水する給水タンクと、
前記装置に配置されており、前記便座部の前記着座面に着座した前記使用者に対し、前記洗浄水を前記使用者の局部及びその周辺の被洗浄面に向けて噴出するための洗浄水噴出口と、加圧空気を前記使用者の局部及びその周辺の被乾燥面に向けて噴出するための空気噴出口と、を先端部に有する筒状のノズル部と、
前記本体に配置されており、前記被乾燥面の任意の位置に前記ノズル部の前記空気噴出口から噴出される前記加圧空気が当たるように、当該空気噴出口の位置を駆動させるノズル駆動部と、
前記便器部内に配置されている第１の筐体と、
前記第１の筐体内に配置されており、前記ノズル部に前記加圧空気を供給するエアポンプと、
前記第１の筐体と前記エアポンプとの間に配置され、前記エアポンプを前記第１の筐体内に固定する弾性を有する第１の緩衝材と、
前記本体部内に配置されており、前記ノズル部に前記洗浄水を供給する給水ポンプと、
前記ノズル駆動部、前記エアポンプ、及び、前記給水ポンプの動作を少なくとも制御する制御部と、
を有するポータブルトイレ。
【請求項２】
前記ノズル駆動部は、前記ノズル部を当該ノズル部の軸の方向に進退駆動させる進退駆動部と、前記ノズル部の先端部を前記軸を回転中心として回動駆動する回動駆動部と、を有する請求項１に記載の衛生洗浄装置。
【請求項３】
前記ノズル駆動部は、前記ノズル部を当該ノズル部の軸の方向に進退駆動させる進退駆動部と、前記ノズル部を当該ノズル部の先端部が前記着座面と略平行な面内で前記軸の方向に交わる横方向に揺動駆動させる揺動駆動部と、を有する請求項１に記載の衛生洗浄装置。
【請求項４】
前記第１の筐体は、前記便器部の後方であって前記本体部が載置されている面の下方に配置されている、
請求項１または２に記載のポータブルトイレ。
【請求項５】
前記第１の筐体は、前記便器部の前方に配置されている、
請求項１または２に記載のポータブルトイレ。
【請求項６】
前記便器部内に配置されており、前記給水ポンプを内装する第２の筐体と、
前記第２の筐体と前記給水ポンプとの間に配置されており、前記給水ポンプを前記第２の筐体内に固定する弾性を有する第２の緩衝材と、
を有する請求項１または２に記載のポータブルトイレ。
【発明の詳細な説明】
【技術分野】
【０００１】
本発明は、衛生洗浄装置を備えるポータブルトイレに関する。
【背景技術】
【０００２】
高齢者や障害者等、体が不自由で通常のトイレを利用することが困難な人が、室内の居場所の近くにおいて使用するポータブルトイレの分野においては、使用者や介護者の排泄後の処理の負担を軽減すべく様々な機能が提案されてきた。例えば、排泄後の使用者の局部に洗浄水を噴射し、使用者の局部を洗浄する衛生洗浄装置を搭載したポータブルトイレが提案されている。
【０００３】
このような衛生洗浄装置を有するポータブルトイレとしては、例えば、使用者がトイレ使用後に操作スイッチを操作するだけで局部を洗浄でき、使用時の負担を軽減することを意図した構成が提案されている（下記特許文献１参照）。
【０００４】
すなわち、図２２（下記特許文献１の図１に相当する図面）に示すように、使用者が用便を終了した後、起動スイッチ８２１を押すと、洗浄水タンク８１５に収容されている温水が洗浄ノズル８１８から噴射され、使用者の局部を洗浄し、使用者が停止スイッチ８２２を押すと、洗浄を終了する構成を有するポータブルトイレが知られている（下記特許文献１参照）。
【０００５】
また、近年は、高齢者や障害者等に限らず、一般の使用者の利便性を考慮して、一般のトイレの便器上に載置される衛生洗浄装置を用いて局部洗浄を行った後（人体の被洗浄面の洗浄を行った後）、使用者がトイレットペーパー等の紙により局部に付着した水滴の除去を行う代わりに、先端に加圧空気を噴出する噴出口を有するノズルを用いて加圧空気を局部に噴出させることにより、局部に付着した水滴の除去を行い、乾燥を行う構成（人体の被乾燥面の乾燥を行う構成）を有する乾燥ノズルを搭載する衛生洗浄装置（乾燥機能付き洗浄便座）が提案されている。
【０００６】
このような衛生洗浄装置（乾燥機能付き洗浄便座）としては、例えば、洗浄水で濡れた被乾燥面に加圧空気をあてて快適でかつ短時間に乾燥することを意図した以下の構成が提案されている（下記特許文献２参照）。
【０００７】
すなわち、図２３（下記特許文献２の図１に相当する図面）に示すように、使用者が局部洗浄装置を用いて局部洗浄を行った後、乾燥スイッチ（図示せず）を押すと、乾燥ノズル９１８が本体９１３内より便器９１２内の所定位置に略湾曲軌道であるところの円弧軌道で送り出され、加圧空気が噴射孔９３６から被洗浄部に向けて断続的に噴射させる構成の衛生洗浄装置（乾燥機能付き洗浄便座）が知られている（例えば、下記特許文献２参照）。
【先行技術文献】
【特許文献】
【０００８】
【特許文献１】特開２００１−２９２６３号公報
【特許文献２】特開２００６−１２５１９３号公報
【発明の概要】
【発明が解決しようとする課題】
【０００９】
本発明者らは、上述の特許文献１に記載の従来のポータブルトイレでは、洗浄ノズル８
１８から使用者の局部に向けて洗浄水を噴出した後の使用者の局部及びその周辺には、洗浄水が水滴となって付着しており、使用者もしくは介護者が、トイレットペーパーなどで洗浄後の使用者の局部及びその周辺に付着した水滴を拭く必要があり、その手間が使用者もしくは介護者の負担となっていることを見出した。
【００１０】
これに対し、本発明者らは、上述の特許文献１に記載の従来のポータブルトイレに、上述の特許文献２に記載の従来の乾燥機能付き衛生洗浄装置（洗浄便座）を組み合わせることで、上述の特許文献１に記載の従来のポータブルトイレの有する課題の解決を試みた。
【００１１】
しかしながら、単に、上述の特許文献１に記載の従来のポータブルトイレに、上述の特許文献２に記載の従来の乾燥ノズルを組み合わせただけでは、使用者の不快感を十分に低減するという観点からは未だ改善の余地があることを本発明者らは見出した。
【００１２】
すなわち、単に、上述の特許文献１に記載の従来のポータブルトイレに、上述の特許文献２に記載の従来の乾燥ノズルを組み合わせただけでは、乾燥ノズルに加圧空気を供給するエアポンプの振動及び騒音が大きく、使用者に不快感を与える場合があった。
【００１３】
本発明は、上記従来技術の有する課題に鑑みてなされたものであり、エアポンプを備える場合であっても、使用者あるいは介護者の負担を十分に軽減するとともに、使用者の不快感を十分に低減することのできるポータブルトイレを提供することを目的とする。
【課題を解決するための手段】
【００１４】
上記従来技術の課題を解決するために、本発明は、
用便用の開口部を有し使用者の排泄物を溜める汚物容器を有する便器部と、
便器部の開口部の後方に載置されており、使用者の局部を洗浄及び乾燥する装置を含む本体部と、
便器部の開口部上であって本体部の手前に載置されており、本体部に回動自在に軸支され、使用者が着座する着座面を有する便座部と、
便器部に設けられており、使用者の局部を洗浄するための洗浄水を貯水する給水タンクと、
装置に配置されており、着座部の着座面に着座した使用者に対し、洗浄水を使用者の局部及びその周辺の被洗浄面に向けて噴出するための洗浄水噴出口と、加圧空気を使用者の局部及びその周辺の被乾燥面に向けて噴出するための空気噴出口と、を先端部に有する筒状のノズル部と、
本体に配置されており、被乾燥面の任意の位置にノズル部の空気噴出口から噴出される加圧空気が当たるように、空気噴出口の位置を駆動させるノズル駆動部と、
便器部内に配置されている第１の筐体と、
第１の筐体内に配置されており、ノズル部に加圧空気を供給するエアポンプと、
第１の筐体とエアポンプとの間に配置され、エアポンプを第１の筐体内に固定する弾性を有する第１の緩衝材と、
本体部内に配置されており、ノズル部に洗浄水を供給する給水ポンプと、
ノズル駆動部、エアポンプ、及び、給水ポンプの動作を少なくとも制御する制御部と、を有するポータブルトイレを提供する（請求項１）。
【００１５】
上述のように、本発明のポータブルトイレでは、ノズル部と、ノズル駆動部と、エアポンプと、制御部とを備えている。
【００１６】
そのため、洗浄後の使用者の局部及びその周辺に付着した水滴を加圧空気により、十分に吹き飛ばすことができるため、使用者もしくは介護者が、トイレットペーパーなどで洗浄後の使用者の局部及びその周辺に付着した水滴を拭く必要がなくなり、使用者あるいは
介護者の負担を十分に軽減することができる。
【００１７】
また、上述のように、本発明のポータブルトイレでは、便器部内に配置されている第１の筐体と、当該第１の筐体内に配置されており、ノズル部に加圧空気を供給するエアポンプと、第１の筐体とエアポンプとの間に配置され、エアポンプを第１の筐体内に固定する弾性を有する第１の緩衝材とを有している。
【００１８】
そのため、エアポンプの振動および騒音を、第１の緩衝材及び第１の筐体により、十分に軽減することができ、エアポンプの振動および騒音が使用者に伝わるのを十分に軽減することができる。
【００１９】
故に、本発明のポータブルトイレによれば、エアポンプを備える場合であっても、使用者あるいは介護者の負担を十分に軽減するとともに、使用者の不快感を十分に低減することのできるポータブルトイレを提供することができるようになる。
【００２０】
ここで、本発明において、「被洗浄面」及び「被乾燥面」は、いずれも使用者の局部を中心とした体表面である。
【００２１】
本発明においては、特に、「被洗浄面」の範囲は、使用者の局部およびその周辺のうち使用者の排泄により汚れうる範囲であることが好ましい。
【００２２】
この「被洗浄面」の範囲は、使用者の体型の分布、便器の大きさ、便器の形状、洗浄水の吐出量範囲、洗浄水の吐出圧範囲などを考慮して、実験およびシミュレーションのうちの何れかにより予め求めて設定しておいてもよい。また、この「被洗浄面」の範囲は、排泄により汚れうる範囲を検知可能なセンサなど（排泄物中の水分などを検知する赤外線センサなど）により、使用者が衛生洗浄装置を使用する度毎にセンシングして最適な範囲を求める構成としてもよい。
【００２３】
また、本発明における「被乾燥面」の範囲は、使用者の局部およびその周辺のうち洗浄水により洗浄処理された際に洗浄水で濡れうる範囲であることが好ましい。
【００２４】
さらに、「被乾燥面」の範囲（面積）が「被洗浄面」の範囲（面積）以上であり、かつ、「被乾燥面」に被洗浄面の全範囲が含まれるよう設定されていることが好ましい。
【００２５】
なお、この「洗浄水で濡れうる範囲」には、通常、上述の「被洗浄面」の範囲、すなわち、「使用者の局部およびその周辺のうち使用者の排泄により汚れうる範囲」が含まれるが、「洗浄水で濡れうる範囲」に「被洗浄面」の範囲が含まれない場合には、「被乾燥面」の範囲は、「洗浄水で濡れうる範囲」と「被洗浄面」の範囲とを含む範囲であることが好ましい。
【００２６】
この「被乾燥面」の範囲も、「被洗浄面」の範囲を求める場合と同様に、使用者の体系の分布、便器の大きさ、便器の形状、加圧空気の吐出量範囲、加圧空気の吐出圧範囲などを考慮して、実験およびシミュレーションのうちの何れかにより予め求めて設定しておいてもよい。また、この「被乾燥面」の範囲も、「被洗浄面」の範囲を求める構成と同様に、洗浄水で濡れうる範囲を検知可能なセンサなど（水分を検知する赤外線センサなど）により、使用者が衛生洗浄装置を使用する度毎にセンシングして最適な範囲を求める構成としてもよい。
【００２７】
また、本発明においては、ノズル駆動部は、ノズル部を当該ノズル部の軸の方向に進退駆動させる進退駆動部と、ノズル部の先端部を軸を回転中心として回動駆動する回動駆動
部と、を有することが好ましい（請求項２）。
【００２８】
さらに、本発明においては、ノズル駆動部は、ノズル部を当該ノズル部の軸の方向に進退駆動させる進退駆動部と、ノズル部を当該ノズル部の先端部が着座面と略平行な面内で軸の方向に交わる横方向に揺動駆動させる揺動駆動部と、を有することが好ましい（請求項３）。
【００２９】
また、本発明においては、第１の筐体が、便器部の後方であって本体部が載置されている面の下方に配置されていることが好ましい（請求項４）。
【００３０】
これにより、第１の筐体と本体部との距離が短くなるため、エアポンプとノズル部とを接続する流路を短くすることができる。したがって、便器部内の構成をコンパクトにすることができる。また、組み立て時の煩雑さを十分に低減することができる。
【００３１】
特に、第１の筐体を便器部の後方の底面に配置した場合には、エアポンプと使用者との距離が離れるため、エアポンプの振動及びエアポンプの振動による騒音が使用者に伝わることを十分に低減することができる。
【００３２】
また、本発明においては、第１の筐体が、便器部の前方に配置されていることが好ましい（請求項５）。
【００３３】
これにより、エアポンプと使用者との距離が離れるため、エアポンプの振動及びエアポンプの振動による騒音が使用者に伝わることを十分に防止することができる。
【００３４】
さらに、本発明においては、便器部内に配置されており、給水ポンプを内装する第２の筐体と、当該第２の筐体と給水ポンプとの間に配置されており、当該給水ポンプを第２の筐体内に固定する弾性を有する第２の緩衝材と、を有していることが好ましい（請求項６）。
【００３５】
これにより、エアポンプだけでなく、給水ポンプも便器部内に配置されるため、給水ポンプの振動及び騒音を、第２の筐体及び第２の緩衝材により十分に軽減することができ、使用者の不快感を十分に低減することができる。
【発明の効果】
【００３６】
本発明によれば、エアポンプを備える場合であっても、使用者あるいは介護者の負担を十分に軽減するとともに、使用者の不快感を十分に低減することのできるポータブルトイレを提供することができるようになる。
【図面の簡単な説明】
【００３７】
【図１】本発明のポータブルトイレの第１実施形態を示す外観図
【図２】図１に示したポータブルトイレにおける遠隔操作装置の一例を示す模式図
【図３】図１に示したポータブルトイレにおける洗浄水供給手段及び制御部の構成を示すブロック図
【図４】図１に示したポータブルトイレにおける温風供給部、加圧空気供給部、及び、制御部の構成を示すブロック図
【図５】図１に示したポータブルトイレにおけるノズル部、ノズル駆動部、及び、ベースの基本構成を示す斜視図
【図６】図５に示したノズル部、ノズル駆動部、及び、ベースの基本構成の別の形態を示す斜視図
【図７】図６に示したノズル部、ノズル駆動部、及び、ベースの基本構成の別の形態を示す斜視図
【図８】図１に示したポータブルトイレにおける制御部による「おしり洗浄」及び「乾燥」運転における制御動作のタイムチャート
【図９】図１のポータブルトイレにおける制御部による「おしり洗浄」の「洗浄ムーブ」運転の制御動作のタイムチャート
【図１０】（ａ）図１のポータブルトイレにおける「おしり洗浄」の運転状態の模式的断面図（ｂ）同ポータブルトイレにおける「乾燥」の第１のステップの運転状態の模式的断面図（ｃ）同装置における「乾燥」の第２のステップの運転状態の模式的断面図
【図１１】図１のポータブルトイレにおける「乾燥」の第１及び第２ステップの被乾燥面の空気噴流の移動パターンを示す模式図
【図１２】図１のポータブルトイレにおける「乾燥」の第３及び第４ステップの被乾燥面の空気噴流の移動パターンを示す模式図
【図１３】本発明のポータブルトイレの第１実施形態における模式的断面図
【図１４】図１３に示したポータブルトイレにおけるＰ部拡大図
【図１５】図１４に示したポータブルトイレにおけるＰ部の別の形態を示す拡大図
【図１６】図１４に示したポータブルトイレにおけるＰ部の別の形態を示す拡大図
【図１７】図１３に示したポータブルトイレにおけるＰ部の別の配置場所を示す模式的断面図
【図１８】本発明のポータブルトイレの第２実施形態を示す模式的断面図
【図１９】本発明のポータブルトイレの第３実施形態を示す模式的断面図
【図２０】図１９に示したポータブルトイレにおける別の形態を示す模式的断面図
【図２１】図１のポータブルトイレにおける、ノズル部の洗浄水噴出口を含む仮想のＸＹ直交座標平面Ｆ２２と、便座部の着座面Ｆ４００との相対的な位置関係の概略を説明するための模式図
【図２２】特許文献１に記載の従来の乾燥装置を備えたポータブルの模式的斜視図
【図２３】特許文献２に記載の従来の乾燥装置を備えたポータブルの模式的斜視図
【発明を実施するための形態】
【００３８】
以下、図面を参照しながら本発明の便座装置の好適な実施形態について詳細に説明する。なお、以下の説明では、同一または相当部分には同一符号付し、重複する説明は省略する。
【００３９】
（第１実施形態）
図１は、本発明のポータブルトイレの第１実施形態を示す外観図である。
【００４０】
図１に示すように、ポータブルトイレ１００は、主として、本体部２００と、遠隔操作装置３００と、便座部４００と、便器部７００とから構成され、便座部４００及び本体部２００は、便器部７００上に載置されている。
【００４１】
本体部２００には、便座部４００が回動自在に取り付けられている。
【００４２】
図１に示すように、本体部２００は、主として、ノズル部２０を含む加圧空気供給部５０と、洗浄水を噴出するための洗浄水供給部３０と、温風供給部４０と、制御部１５０（図３、図４参照）とから構成されている。
【００４３】
更に、本体部２００には、その正面上部に着座センサ６１０が設けられている。
【００４４】
この着座センサ６１０は、使用者の着座を検知できれば特に限定されないが、例えば、反射型の赤外線センサを採用することができる。この場合、着座センサ６１０は、人体から反射された赤外線を検出することにより便座部４００上に使用者が存在することを検知
する構成とされている。
【００４５】
本体部２００の制御部１５０（図３、図４参照）は、遠隔操作装置３００及び着座センサ６１０から送信される信号に基づいて、ポータブルトイレ１００の後述する動作を制御する。
【００４６】
図１に示すように、加圧空気供給部５０は、主として、加圧空気を供給するエアポンプ５１と、加圧空気を噴出する空気噴出口２２を先端部に有する筒状のノズル部２０と、空気噴出口２２から噴出される加圧空気の噴流を前後左右に移動するために、ノズル部２０をその軸方向に進退駆動させる動作とノズル部２０を当該ノズル部の先端部が便座部４００の着座面と略平行な面内で軸の方向に交わる横方向に揺動駆動させる動作を行うためのノズル駆動部５２とにより構成されている。ノズル駆動部５２は、ノズル部２０の進退駆動と揺動駆動とを同時に実行できる構成を有するとともに、進退駆動と揺動駆動とをそれぞれ独立に実行できる構成も有している。
【００４７】
また、ノズル部２０には、洗浄水を噴出する洗浄水噴出口２２を含む洗浄水供給部３０の洗浄ノズル部３３が一体に構成されている。
【００４８】
この洗浄水供給部３０は、主として、ノズル部２０に設けられた洗浄水噴出口２２と、給水タンク５００に貯水されている洗浄水を加熱する温水加熱部３１と、上述の洗浄ノズル部３３と、洗浄水を供給する給水ポンプ３４とから構成されている。
【００４９】
温風供給部４０は、ダクト４３内に内蔵されているヒータ４４（図４参照）に送風して温風を供給する送風手段であるエアファン４１と、この温風を温風噴出口４２に導くダクト４３とから構成されている。
【００５０】
便座部４００には、着座面を加熱する便座ヒータ（図示せず）が内蔵されている。これにより、便座部４００に着座した使用者の臀部を暖めることができる。
【００５１】
便器部７００には、給水タンク５００及び汚物容器６００が着脱自在に設けられている。また、便器部７００には、肘掛部７１０、背もたれ部７２０が設けられている。さらに、便器部７００には、後述する第１の筐体８０（図１３、図１４参照）、エアポンプ５１（図１３、図１４参照）、第１の緩衝材９０（図１３、図１４参照）が内蔵されている。
【００５２】
まず、遠隔操作装置３００について説明する。
【００５３】
図２は、図１に示したポータブルトイレにおける遠隔操作装置３００の一例を示す模式図（正面図）であり、図２（ａ）は遠隔操作装置３００のコントローラ蓋部３０２が閉じられた状態を示す正面図、図２（ｂ）は遠隔操作装置３００のコントローラ蓋部３０２が閉じられた状態を示す正面図である。
【００５４】
図２（ａ）に示すように、コントローラ蓋部３０２が閉じられた状態で、コントローラ本体部３０１の上部には、乾燥モード選択スイッチ３２０ａ，３２０ｂ，３２０ｃ、洗浄強さ調整スイッチ３２２，３２３、リズムスイッチ３２４、位置調整スイッチ３２５，３２６，３２７，３２８（ノズル２０の洗浄水噴出口２２の位置調節のためのスイッチ）、洗浄ムーブ動作のパターン選択スイッチ３３０，３３１，３３２が設けられている。
【００５５】
また、コントローラ蓋部３０２が閉じられた状態で、コントローラ蓋部３０２の外表面には、停止スイッチ３１１｛図２（ａ）及び図２（ｂ）に示した全てのスイッチについて、各々のスイッチによる動作を停止する機能を有するスイッチ｝、乾燥スイッチ３１４、
おしりスイッチ３１２及びビデスイッチ３１３が設けられている。
【００５６】
また、位置調整スイッチ３２５，３２６，３２７，３２８の横には、これらスイッチの操作によるノズル部２０の駆動（進退駆動、回動駆動）によって変わる洗浄水噴出位置（洗浄水噴出口２２の位置）を表す表示部３２９が設けられている。これは液晶パネルより成り、ノズル部２０の駆動による洗浄水噴出口２２の位置が液晶パネル上にポイントとして表示されるように構成されている。
【００５７】
本実施形態の場合、使用者により上記各スイッチが操作されると、遠隔操作装置３００から本体部２００に各スイッチに応じた所定の信号が無線送信される構成とされている。更に、後述する本体部２００の制御部１５０（図３、図４参照）は、遠隔操作装置３００から受信した信号に基づいて本体部２００及び便座部４００の各構成部の動作を制御するように構成されている。
【００５８】
例えば、本実施形態の場合、使用者によりおしりスイッチ３１２またはビデスイッチ３１３が操作されると、制御部１５０が作動し、ノズル部２０（図３参照）から使用者の局部に洗浄水が噴出されるように構成されている。
【００５９】
また、本実施形態の場合、使用者により停止スイッチ３１１が操作されると、制御部１５０が作動し、ノズル部２０から使用者の局部への洗浄水の噴出が停止されるように構成されている。
【００６０】
更に、本実施形態の場合、使用者により乾燥スイッチ３１４が操作されると、制御部１５０が作動し、使用者の局部の被乾燥面に後述する加圧空気供給部５０（図４）から加圧空気が噴出されると同時に温風供給部４０（図４）から温風が吹き出されるように構成されている。
【００６１】
また、本実施形態の場合、使用者により３つの乾燥モードスイッチ３２０ａ，３２０ｂ，３２０ｃのうちのいずれか１つが選択操作されると、前述の使用者の局部に噴出される乾燥空気の噴出条件が変更され、使用状況や使用者の好みにより任意に選択することが可能となるように構成されている。
【００６２】
なお、図２（ａ）において、乾燥モードスイッチ３２０ａは短時間で乾燥を終了したい場合の「急速乾燥運転」モードを選択する場合のスイッチである。また、乾燥モードスイッチ３２０ｂは局部を確実に乾燥させてさらっと仕上げる「しっかり乾燥運転」モードを選択する場合のスイッチである。更に、乾燥モードスイッチ３２０ｃは加圧空気を当てたくない場合に温風だけを吹き出す「温風乾燥運転」モードを選択する場合のスイッチである。
【００６３】
更に、乾燥モードスイッチ３２０ａの周囲には、使用者が当該乾燥モードスイッチ３２０ａを選択して「急速乾燥運転」モードでの運転が行われていることを、使用者に視覚的に表示するためのインジケータ３２０ａ１が配置されている。インジケータ３２０ａ１は使用者が当該乾燥モードスイッチ３２０ａを選択すると点滅又は点灯する構成とされている。なお、使用者に運転状況をより確実かつ迅速に通知するため、インジケータ３２０ａ１は、使用者が当該乾燥モードスイッチ３２０ａを選択すると点滅し、「急速乾燥運転」モードでの運転が正常に開始されると点灯した状態に変化し、「急速乾燥運転」モードでの運転が開始されない場合には点灯又は異なる色で点灯するといった構成としてもよい。
【００６４】
更に、乾燥モードスイッチ３２０ｂの周囲には、使用者が当該乾燥モードスイッチ３２０ｂを選択して「しっかり乾燥運転」モードでの運転が行われていることを、使用者に視
覚的に表示するためのインジケータ３２０ｂ１が配置されている。インジケータ３２０ｂ１は使用者が当該乾燥モードスイッチ３２０ｂを選択すると点滅又は点灯する構成とされている。なお、使用者に運転状況をより確実かつ迅速に通知するため、インジケータ３２０ｂ１は、使用者が当該乾燥モードスイッチ３２０ｂを選択すると点滅し、「しっかり乾燥運転」モードでの運転が正常に開始されると点灯した状態に変化し、「しっかり乾燥運転」モードでの運転が開始されない場合には点灯又は異なる色で点灯するといった構成としてもよい。
【００６５】
更に、乾燥モードスイッチ３２０ｃの周囲には、使用者が当該乾燥モードスイッチ３２０ｃを選択して「温風乾燥運転」モードでの運転が行われていることを、使用者に視覚的に表示するためのインジケータ３２０ｃ１が配置されている。インジケータ３２０ｃ１は使用者が当該乾燥モードスイッチ３２０ｃを選択すると点滅又は点灯する構成とされている。なお、使用者に運転状況をより確実かつ迅速に通知するため、インジケータ３２０ｃ１は、使用者が当該乾燥モードスイッチ３２０ｃを選択すると点滅し、「温風乾燥運転」モードでの運転が正常に開始されると点灯した状態に変化し、「温風乾燥運転」モードでの運転が開始されない場合には点灯又は異なる色で点灯するといった構成としてもよい。
【００６６】
また、本実施形態の場合、使用者により洗浄強さ調整スイッチ３２２，３２３が操作されると、使用者の局部に噴出される洗浄水の流量及び圧力等が調整されるように構成されている。
【００６７】
そして、本実施形態の場合、洗浄強さ調整スイッチ３２２，３２３が操作されることにより変化する洗浄水の体感強度を５段階に分けて使用者に視覚的に認識させるための表示部３２２Ｇが設けられている。この表示部３２２Ｇは、温風温度調整スイッチ３４０の左側に、当該温風温度調整スイッチ３４０から横に伸びる５つの棒状のインジケータとして配置されている。
【００６８】
ここで、５段階の洗浄水の強度とは、使用環境、温風の温度に対する使用者の洗浄水の強度を感じる感覚等を考慮して予め設定されている洗浄水の強度範囲であって、強度が高い側から５つに分けられた強度範囲である。本実施形態の場合、表示部３２２Ｇの５つの棒状のインジケータは、強度の高い順に上から下に一列に配置されている。
【００６９】
このように、洗浄水の強度が予め設定された５つの強度範囲とされていることで、使用者は、具体的な洗浄水の強度値を設定することを意識せずに、直感的にかつ容易に快適な洗浄水の強度を設定することができるようになる。
【００７０】
更に、５つの洗浄水の強度範囲は、使用者が好みにより任意に初期設定範囲（初期設定値）を調節できる構成とされていてもよい。また、温度領域は、２つ以上に分けられていればよく本実施形態で説明した５つに限定されるものではない。
【００７１】
この表示部３２２Ｇにより、使用者は、洗浄水の強度をより確実かつ容易に認識することができるようになり、必要に応じて洗浄強さ調整スイッチ３２２，３２３を押して洗浄水の強度を適切に調節することがより正確かつ容易にできるようになる。
【００７２】
また、本実施形態の場合、使用者によりリズムスイッチ３２４が操作されると、使用者の局部に噴出される洗浄水の流量及び圧力等が調整され、上記の５段階の洗浄水の強度について最低の強度レベルから最高の強度レベルへと強度が増大する方向に段階的に変化するパターン１と、最高の強度レベルから最低の強度レベルに強度が低下する方向に段階的に変化するパターン２とが停止スイッチ３１１を押すまで（停止動作を有効にするまで）繰り返されるように構成されている。
【００７３】
なお、使用者がリズムスイッチを押すタイミング（リズムスイッチによる動作を有効にするタイミング）がおしりスイッチ又はビデスイッチを押す前などの洗浄水を噴出させる前であれば、予め設定された標準の洗浄水の強度レベル（例えば、３番目に強い洗浄水の強度レベルなど）からパターン１又はパターン２から洗浄水による洗浄が開始されるよう構成されている。
【００７４】
更に、本実施形態の場合、使用者により位置調整スイッチ３２５，３２６，３２７，３２８が操作されると、後述する洗浄ノズル部３３の洗浄水噴出口２２の位置が後述の仮想のＸＹ直交座標平面上で前後左右（Ｘ方向Ｙ方向）に適宜調整されるように構成されている。この操作により、使用者の局部への洗浄水の噴出位置が調整されることとなる。このように、使用している際の洗浄ノズル部３３の駆動量を仮想のＸＹ直交座標平面に換算して表示部３２９に液晶表示することで、操作した結果が使用者に理解されやすくされている。
【００７５】
なお、図２１及び図１０に示すように、この「ＸＹ直交座標平面」とは、便座部４００の着座面Ｆ４００を汚物容器６００の開口部の面Ｆ６００と平行な略平滑な面（図８参照）と仮定した場合に（図１０参照）、当該着座面Ｆ４００に略平行な洗浄水噴出口２２を含む平面Ｆ２２をいう。
【００７６】
次に、このＸＹ直交座標平面Ｆ２２についてより詳しく説明する。
【００７７】
図２１は、図１の衛生洗浄装置における、ノズル部２０の洗浄水噴出口２２を含む仮想のＸＹ直交座標平面Ｆ２２と、便座部４００の着座面Ｆ４００との相対的な位置関係の概略を説明するための模式図である。また、この図２１は、図１に示したポータブルトイレ１００のノズル部２０を側面からみた図（Ｙ軸の方向からみた図）である。
【００７８】
本実施形態の場合、図２１に示すように、ノズル部２０は、その軸Ａ２０方向が便座部４００の着座面Ｆ４００（又は汚物容器６００の開口部の面）に対して、予め設定された傾斜角θ４２（ただしθ４２は鋭角）を有するように構成されている。
【００７９】
そのため、図２１に示すように、ノズル部２０の進退移動（軸Ａ２０の方向における移動）に伴い、この「ＸＹ直交座標平面」Ｆ２２の位置も、ノズル部２０が本体部２００に収容されているとき洗浄水噴出口２２の位置Ｐ１（最上部の位置）と同じ高さの位置｛図２１中「Ｆ２２（Ｐ１）」で示す高さの位置｝からノズル部２０が最も外に突出されるときの洗浄水噴出口２２の位置Ｐ２（最下部の位置）と同じ高さの位置｛図２１中「Ｆ２２（Ｐ２）」で示す高さの位置｝まで移動することになる。
【００８０】
すなわち、ＸＹ直交座標平面Ｆ２２におけるＸ軸は、当該ＸＹ直交座標平面Ｆ２２の法線方向（Ｚ軸）から見た場合、ノズル部２０の軸Ａ２０に略一致するものである。当然にＹ軸はこのＸ軸に直交する軸である。
【００８１】
例えば、ノズル部２０の洗浄水噴出口２２が図２１に示す位置Ｐ３０｛（ｘ，ｙ，ｚ）＝（ｘ１，ｙ１、ｚ１）｝からＰ４０｛（ｘ，ｙ，ｚ）＝（ｘ１，ｙ１、ｚ２）｝へ移動した場合、洗浄水噴出口２２は実際にはＸＺ平面上をＰ３０からＰ４０までの距離を移動しているが、ＸＹ直交座標平面上においては、Ｐ３０からＰ５０までの距離（「Ｐ３０からＰ４０までの辺」の「Ｐ３０からＰ５０までの辺」への正射影に相当する距離）を移動したことになる。
【００８２】
次に、コントローラ蓋部３０２により覆われるコントローラ本体部３０１の下部にある
スイッチについて図２（ｂ）を用いて説明する。
【００８３】
図２（ｂ）に示すように、コントローラ蓋部３０２により覆われるコントローラ本体部３０１の下部には、上述の停止スイッチ３１１、乾燥スイッチ３１４、おしりスイッチ３１２及びビデスイッチ３１３に加えて、自動開閉の入り切りスイッチ３３７、温風温度調整スイッチ３４０、水温調整スイッチ３３３、便座温度調整スイッチ３３４、節電スイッチ３３５及び除菌スイッチ３３６が設けられている。
【００８４】
使用者によりこれらのスイッチが操作される場合にも、遠隔操作装置３００から本体部２００に各スイッチに応じた所定の信号が無線送信される構成とされている。そして、本体部２００の制御部１５０は、遠隔操作装置３００から受信した信号に基づいて本体部２００及び便座部４００の各構成部の動作を制御するように構成されている。
【００８５】
図２（ｂ）に示すように、自動開閉の入り切りスイッチ３３７は、つまみにより構成されている。
【００８６】
本実施形態の場合、使用者により自動開閉の入り切りスイッチ３３７のつまみが操作されると、図１に示した便座部４００の開閉動作が設定されるように構成されている。すなわち、自動開閉の入り切りスイッチ３３７のつまみがオン（「入」）の位置にある場合、使用者のトイレットルームへの入室に応じて便座部４００が開閉される構成とされている。
【００８７】
また、本実施形態の場合、使用者により温風温度調整スイッチ３４０が操作されると、温風供給部４０から使用者の局部に吹き出される温風の温度が調整されるように構成されている。この温風温度調整スイッチ３４０は、一回押す毎に設定が、「高」、「中」、「低」、「切」と切り替わる構成とされている。この「切」の設定で運転した場合は、ヒータ４４（図４）がオフとなり送風だけとなる。
【００８８】
ここで、「高」、「中」、「低」とは、使用環境、温風の温度に対する使用者の熱を感じる感覚等を考慮して予め設定されている温風の温度領域であって、温度が高い側から３つに分けられた温度領域である。このように、温風の温度が予め設定された３つの温度領域とされていることで、使用者は、具体的な温度値を設定することを意識せずに、直感的にかつ容易に快適な温風温度を設定することができるようになる。
【００８９】
なお、「高」、「中」、「低」のそれぞれの温度領域は、例えば、「高」の場合５０℃〜６０℃、「中」の場合３０℃〜５０℃、「低」の場合２０℃〜３０℃、というように温度領域に幅を持たせて設定してもよく、例えば、「高」の場合６０℃、「中」の場合４０℃、「低」の場合２０℃、というように一点の温度で設定してもよい。
【００９０】
更に、「高」、「中」、「低」の温度領域は、使用者が好みにより任意に初期設定範囲（初期設定値）を調節できる構成とされていてもよい。また、温度領域は、２つ以上に分けられていればよく本実施形態で説明した３つに限定されるものではない。
【００９１】
更に、本実施形態の場合、温風温度調整スイッチ３４０は、図２（ｂ）に示すように、上述の温風の温度が「高」、「中」、「低」、「切」の何れの状態にあるかを使用者に視覚的に認識させるための表示部３４０Ｇが設けられている。本実施形態の場合、この表示部３４０Ｇは、温風温度調整スイッチ３４０の左側に、当該温風温度調整スイッチ３４０から横に伸びる３本の棒グラフ状のインジケータとして配置されている。表示部３４０Ｇの３本の棒グラフのうち最上部に配置されている棒グラフが「高」の状態を表示するもので、使用者が「高」の状態を選択すると点灯するように構成されている。表示部３４０Ｇ
の３本の棒グラフのうち最下部に配置されている棒グラフが「低」の状態を表示するもので、使用者が「低」の状態を選択すると点灯するように構成されている。表示部３４０Ｇの３本の棒グラフのうち「高」の状態を表示する棒グラフと「低」の状態を表示する棒グラフとの間に配置されている棒グラフが「中」の状態を表示するもので、使用者が「中」の状態を選択すると点灯するように構成されている。３本の棒グラフは、その高さ（長さ）が「高」の状態を表示する棒グラフから「低」の状態を表示する棒グラフにかけて徐々に小さくなるよう構成されている。
【００９２】
これにより、使用者は、温風の温度をより確実かつ容易に認識することができるようになり、必要に応じて温度を適切に調節することがより正確かつ容易にできるようになる。
【００９３】
また、本実施形態の場合、使用者により水温調整スイッチ３３３が操作されると、ノズル部２０から使用者の局部に噴出される洗浄水の温度が調整されるように構成されている。この水温調整スイッチ３３３は、上述の温風温度調整スイッチ３４０と同様に一回押す毎に設定が、「高」、「中」、「低」、「切」と切り替わる構成とされている。なお、この水温調整スイッチ３３３には、水温が「高」、「中」、「低」、「切」の何れの状態にあるかを使用者に視覚的に認識させるための表示部３３３Ｇが設けられている。この表示部３３３Ｇは、上述の表示部３４０Ｇと同様に、水温調整スイッチ３３３の左側に、当該水温調整スイッチ３３３から横に伸びる３本の棒グラフ状のインジケータとして配置されている。
【００９４】
更に、本実施形態の場合、使用者により便座温度調整スイッチ３３４が操作されると、便座部４００の温度が調整されるように構成されている。
【００９５】
この便座温度調整スイッチ３３４は、上述の温風温度調整スイッチ３４０と同様に一回押す毎に設定が、「高」、「中」、「低」、「切」と切り替わる構成とされている。なお、この便座温度調整スイッチ３３４には、便座温度が「高」、「中」、「低」、「切」の何れの状態にあるかを使用者に視覚的に認識させるための表示部３３４Ｇが設けられている。この表示部３３４Ｇは、上述の表示部３４０Ｇと同様に、便座温度調整スイッチ３３４の左側に、当該便座温度調整スイッチ３３４から横に伸びる３本の棒グラフ状のインジケータとして配置されている。
【００９６】
また、本実施形態の場合、使用者によりムーブスイッチ３３０が操作されると、ノズル部２０を前後方向に所定距離（例えば設定位置から前後方向に８ｍｍ）往復運動させるとともに左右方向にも所定距離（例えば中心位置から左右方向に７ｍｍ）往復運動させて洗浄するように構成されている。また、使用者によりムーブスイッチ３３１が操作されると、ノズル部２０を前後方向に所定距離（例えば設定位置から前後方向に８ｍｍ）往復運動させるとともに左右方向にもムーブスイッチ３３０を操作したときよりも短い距離（例えば５ｍｍ）往復運動するように構成されている。さらに、使用者によりムーブスイッチ３３２が操作されると、ノズル部２０を前後方向に所定距離（例えば設定位置から前後方向に８ｍｍ）往復運動させるとともに左右方向にもムーブスイッチ３３０を操作したときよりも短い距離（例えば３ｍｍ）往復運動するように構成されている。このように、洗浄範囲の幅を使用者の好みに応じて任意に選択することが可能となるように構成されている。
【００９７】
更に、本実施形態の場合、使用者により節電スイッチ３３５が操作されると、ポータブルトイレを使用しない時間帯には、便座温度と温水温度とを低く設定するように制御されるように構成されている。また、節電中に使用した場合でも着座センサ６１０により使用者が検知された場合は節電を解除し、通常の適温に設定されるように構成されている。
【００９８】
また、本実施形態の場合、使用者により除菌スイッチ３３６が操作されると、温水によ
りノズル部２０を洗浄するように構成されている。これにより、ノズル部２０の表面に付着した菌や汚れを温水で洗い流すことができ、より衛生的に使用できる。
【００９９】
次に、本体部２００について説明する。
【０１００】
図３は、図１に示したポータブルトイレ１００における洗浄水供給手段３０及び制御部１５０の構成を示すブロック図である。図４は、図１に示したポータブルトイレにおける加圧空気供給部５０、温風供給部４０、及び、制御部１５０の構成を示すブロック図である。
【０１０１】
上述のように、本体部２００は、主として、洗浄水噴出口２２及び空気噴出口２１を有するノズル部２０と、ノズル部２０に洗浄水を供給する洗浄水供給部３０と、ノズル部２０とは別体に設けられており、使用者の臀部に温風を送風する温風供給部４０と、ノズル部２０に加圧空気を供給する加圧空気供給部５０と、制御部１５０と、着座センサ６１０とから構成されている。
【０１０２】
まず、洗浄水供給部３０について説明する。
【０１０３】
図３に示すように、洗浄水供給部３０は、主として、洗浄水を貯水する給水タンク５００と、ノズル部２０に洗浄水を供給する給水ポンプ３４と、洗浄水を加熱する温水加熱部３１と、切換弁３２と、ノズル部２０と、ノズル駆動部５２と、制御部１５０とから構成されている。また、ノズル駆動部５２は、後述する第１の電動モータ５３及び第２の電動モータを有している。
【０１０４】
切換弁３２は、温水加熱部３１からの温水をノズル部２０の洗浄水噴出口２２方向と、汚物容器６００内へ排水する方向とに切換駆動するためのものである。
【０１０５】
洗浄水供給手段３０において、制御部１５０は、給水ポンプ３４、温水加熱部３１、切換弁３２、第１の電動モータ５３、及び、第２の電動モータの動作を制御する。
【０１０６】
次に、温風供給部４０及び加圧空気供給部５０について説明する。
【０１０７】
図４に示すように、温風供給部４０は、主として、外気を取り込んで送風するエアファン４１と、ヒータ４４を内蔵するダクト４３と、温風噴出口４２と、制御部１５０とから構成されている。
【０１０８】
また、加圧空気供給部５０は、主として、ノズル部２０に加圧空気を供給するエアポンプ５１と、ノズル部２０と、ノズル駆動部５２と、制御部１５０とから構成されている。すなわち、加圧空気供給部５０は、上述の洗浄水供給部３０に対し、ノズル部２０、ノズル駆動部５２、及び、制御部１５０を共有する構成とされている。上述のように、ノズル駆動部５２には、後述する第１の電動モータ５３  及び第２の電動モータ５４が含まれている。
【０１０９】
温風供給部４０においては、制御部１５０は、エアファン４１及びヒータ４４の動作を制御する。また、加圧空気供給部５０においては、制御部１５０は、エアポンプ５１、第１の電動モータ５３、及び、第２の電動モータ５４の動作を制御する。
【０１１０】
本実施形態においては、使用者の要求により、使用者の局部の被乾燥面を乾燥させる乾燥工程を実行する場合、制御部１５０は、温風供給部４０と加圧空気供給部５０を同時に駆動させて、温風供給部４０により送風される温風を、加圧空気供給部５０により噴出さ
れる加圧空気により誘引しながら両者を混合して被乾燥面に噴出する第１の乾燥運転と、加圧空気供給部５０だけを駆動して加圧空気だけ被乾燥面に噴出する第２の乾燥運転と、温風供給部４０だけを駆動して温風だけ被乾燥面に吹き出す第３の乾燥運転の３通りの運転パターン実行し、被乾燥面を乾燥させる。
【０１１１】
次に、ノズル部２０及びノズル駆動部５２について説明する。
【０１１２】
図５は、図１に示したポータブルトイレ１００における洗浄水供給部３０及び加圧空気供給部５０に搭載されるノズル駆動部５２の構成を示す斜視図である。
【０１１３】
図５に示すように、ノズル駆動部５２は、主として、ノズル部２０と、ノズル部２０からの洗浄水及び加圧空気の噴流を左右方向（図５中、矢印Ｃ及びＤ方向）に揺動する揺動駆動部７０と、ノズル部２０からの洗浄水及び加圧空気の噴流を前後方向（図５中、矢印Ａ及びＢ方向）に往復動させる進退駆動部７１と、ベース５５とから構成されている。
【０１１４】
ノズル駆動部５２は本願発明の移動手段として、ノズル部２０から噴射される加圧空気の被乾燥面に対する当接範囲を被乾燥面の全面に亘り任意に移動させることができる。
【０１１５】
ノズル部２０は円筒状の形状のノズルであり、先端近傍の円筒周方向に空気噴出口２１と洗浄水噴出口２２が設けられ、内部に加圧空気を空気噴出口２１に導くエア流路２３と、洗浄水を洗浄水噴出口２２に導く洗浄水流路２４が設けられている。すなわち、このノズル部２０は洗浄ノズル部３３を兼ねて構成されている。したがって、このノズル駆動部５２により洗浄水の噴射位置も使用者の局部周辺の全面にわたり任意に移動させることができる。
【０１１６】
エアポンプ５１からの加圧空気は、エアチューブ２５からエア流路２３に供給されるように接続されており、切換弁３２からの洗浄水は、洗浄水チューブ２６から洗浄水流路２４に供給されるように接続されている。エアチューブ２５と洗浄水チューブ２６は、ノズル部２０が前後左右に駆動する際に、ねじれや屈曲の力が働くためゴムなどの軟質素材で構成する。
【０１１７】
ベース５５は上面に前傾して構成したレール部５６に沿ってノズル部２０を傾斜させて配置し、ベース先端に開孔して配置したガイド部５７にノズル部２０を通して保持する。このガイド部５７は摺動性のよい材質で構成し、ノズル部２０がスムーズに回転及び摺動するように適度にクリアランスを設けている。また、ベース５５上面にはレール部５６に沿ってスライドするスライダ５８を備え、ノズル部２０の終端を回転自在に保持する。そしてスライダ５８の動作に合わせてノズル部２０はレール部５６に沿って駆動する。さらに、ベース５５の後部側面には第１の支持板５５ａが設けられており、ベース５５の前部側面には第２の支持板５５ｂが設けられている。この第１の支持板５５ａと第２の支持板５５ｂの間には、進退駆動ネジ部５９がレール部５６と平行に設けられている。
【０１１８】
進退駆動部７１は、第１の電動モータ（進退駆動モータ）５３と、スライダ５８と、進退駆動ネジ部５９とから構成されている。第１の電動モータ（進退駆動モータ）５３は、ベース５５の後部に配置し、レール部５６に平行に配置した進退駆動ネジ部５９を正逆回転するよう接続されている。この進退駆動ネジ部５９は、スライダ５８のナット部６０にセットされ、進退駆動ネジ部５９の回転に従ってスライダ５８がレール部５６上を駆動する。したがって、第１の電動モータ（進退駆動モータ）５３の回転に合わせてスライダ５８に保持されたノズル部２０が前後に進退駆動する。ここでの前方向とは図７のＡ方向を表し、後方向とはＢ方向を表しており、前方向は便座部４００に着座した使用者の前面方向に対応し、後方向は使用者の背面方向に対応する。
【０１１９】
揺動手段７０は、スライダ５８に配置した第２の電動モータ（回動駆動モータ）５４と、歯車Ａ６１と、歯車Ｂ６２と、歯車Ｃ６３とから構成されており、第２の電動モータ（回動駆動モータ）５４の回転を歯車Ａ６１、歯車Ｂ６２及び歯車Ｃ６３を介してノズル部２０に伝える。したがって、第２の電動モータ（回動駆動モータ）５４の正逆回転に応じてノズル部２０が回転し、空気噴出口２１から噴出する空気噴流は図７のＣ及びＤの右左方向に揺動する。
【０１２０】
なお、ノズル駆動部５２の構成は、上述の構成に限定されるものではなく、例えば、図６又は図７に示すような構成であってもよい。
【０１２１】
図６又は図７に示すノズル駆動部５２の構成は、基本的に上述した図５に示すノズル駆動部５２の構成と同様の構成を有しているが、ノズル部２０における進退駆動及び揺動駆動の構成が異なっている。このノズル部２０の進退駆動及び揺動駆動の構成について、図６又は図７に基づいて説明する。
【０１２２】
まず、図６に示すノズル駆動部の構成について説明する。図６は、図５に示したノズル駆動部５２の別の構成を示す斜視図であり、図５と共通する部分については、同一符号を付して説明する。
【０１２３】
ベース５５は、前方に傾斜して構成されており、ベース５５の上面には、レール部５６が設けられている。また、ベース５５の上面にはレール部５６に沿ってスライドするスライダ５８が設けられている。このスライダ５８には、支持部６３が左右方向に駆動可能に設けられており、この支持部６３により、ノズル部２０の終端が保持される。
【０１２４】
進退駆動部７１は、第１の電動モータ（進退駆動モータ）５３と、レール部５６と、ナット部６０を有するスライダ５８と、進退駆動ネジ部５９とから構成されている。第１の電動モータ（進退駆動モータ）５３は、ベース５５の後部に配置されており、レール部５６に平行に配置された進退駆動ネジ部５９を正逆回転するよう接続されている。この進退駆動ネジ部５９は、スライダ５８のナット部６０にセットされ、進退駆動ネジ部５９の回転に伴って、スライダ５８がレール部５６上を駆動する。したがって、第１の電動モータ（進退駆動モータ）５３の回転に合わせてスライダ５８の支持部６３に保持されたノズル部２０が前後に進退駆動する。ここでの前方向とは図５のＡ方向を表し、後方向とはＢ方向を表しており、前方向は便座部４００に着座した使用者の前面方向に対応し、後方向は使用者の背面方向に対応する。
【０１２５】
揺動駆動部７０は、スライダ５８と、第２の電動モータ（揺動駆動モータ）５３と、支持部６３と、揺動駆動ネジ部６１とから構成されている。第２の電動モータ（揺動駆動モータ）５３は、スライダ５８の側端に配置されており、スライダ５８の内部にスライダ５８と平行に配置された揺動駆動ネジ部６１を正逆回転するよう接続されている。この揺動駆動ネジ部６１には、支持部６３がセットされ、揺動駆動ネジ部６１の回転に伴って、支持部６３がスライダ５８上を駆動する。したがって、第２の電動モータ（揺動駆動モータ）５３の回転に合わせて、支持部６３に保持されたノズル部２０が左右に揺動駆動する。ここでの左方向とは図５のＤ方向を表し、右方向とはＣ方向を表しており、左方向は便座部４００に着座した使用者の左手方向に対応し、右方向は使用者の右手方向に対応する。
【０１２６】
次に、図７に示すノズル駆動部の構成について説明する。図７は、図６に示したノズル駆動部５２の別の構成を示す斜視図であり、図６と共通する部分については、同一符号を付して説明する。
【０１２７】
ベース５５は、前方に傾斜して構成されており、ベース５５の上面には、レール部５６が設けられている。このレール部５６には、レール部５６に沿ってスライドする揺動部支持スライダ８５が設けられている。この揺動部支持スライダ８５上には、回転軸部８３及び第２の電動モータ（揺動駆動モータ）５４が設けられており、この回転軸部８３により、ノズル部２０の終端が保持される。また、ベース５５の後部側面には第１の支持板５５ａが設けられており、ベース５５の前部側面には第２の支持板５５ｂが設けられている。この第１の支持板５５ａと第２の支持板５５ｂの間には、進退駆動ネジ部５９がレール部５６と平行に設けられている。
【０１２８】
進退駆動部７１は、第１の電動モータ（進退駆動モータ）５３と、レール部５６と、ナット部６０を有する揺動部支持スライダ８５と、進退駆動ネジ部５９とから構成されている。第１のモータ（進退駆動モータ）５３は、第１の支持板５５ａに設けられており、第１の支持板５５ａ及び第２の支持板５５ｂにより、レール部５６に平行に配置された進退駆動ネジ部５９を正逆回転するよう接続されている。この進退駆動ネジ部５９は、揺動部支持スライダ８５のナット部６０にセットされ、進退駆動ネジ部５９の回転に伴って、揺動部支持スライダ８５がレール部５６上を駆動する。したがって、第１の電動モータ（進退駆動モータ）５３の回転に合わせて揺動部支持スライダ８５上の回転軸部８３に保持されたノズル部２０が前後に進退駆動する。ここでの前方向とは図６のＡ方向を表し、後方向とはＢ方向を表しており、前方向は便座部４００に着座した使用者の前面方向に対応し、後方向は使用者の背面方向に対応する。
【０１２９】
揺動駆動部７０は、揺動部支持スライダ８５と、第２の電動モータ（揺動駆動モータ）５４と、回転軸部８３とから構成されている。回転軸部８３及び第２の電動モータ（揺動駆動モータ）５４は、揺動部支持スライダ８５上に配置されている。
【０１３０】
回転軸部８３の外周の一部には、ノズル部２０の後端が固定されている。また、回転軸部８３の下部の外周面には、第２の電動モータ５４の回転軸に取り付けられている駆動歯車８７とかみ合う外周歯車部８８が形成されている。さらに、回転軸部８３の軸方向の中心は空洞となっており、ここに揺動部支持スライダ８５の上面から垂直に延びる軸心８４ａが貫通している。したがって、第２の電動モータ（揺動駆動モータ）５３の回転に合わせて揺動部支持スライダ８５上の回転軸部８３に保持されたノズル部２０が左右に揺動駆動する。ここでの左方向とは図６のＤ方向を表し、右方向とはＣ方向を表しており、左方向は便座部４００に着座した使用者の左手方向に対応し、右方向は使用者の右手方向に対応する。
【０１３１】
以下に制御部１５０における制御動作について図８、図９、図１０、図１１、及び、図１２を加えて説明する。
【０１３２】
図８は制御部１５０による「おしり洗浄」及び「乾燥」運転における制御動作のタイムチャート、図９は制御部１５０による「おしり洗浄」の「洗浄ムーブ」運転の制御動作のタイムチャート、図１０は「おしり洗浄」及び「乾燥」の運転状態の模式的断面図である。図１１及び図１２は「乾燥」運転状態の被乾燥面における噴流の当接範囲Ｅの移動パターンを示す模式図である。なお図８に示す「乾燥」の運転モードは図２の乾燥モードスイッチ３２０ａが選択された状態の「急速乾燥運転」であり、温風温度調整スイッチ３４０は「中」設定とした状態のタイムチャートである。この「急速乾燥運転」は、乾燥機能における温風を加圧空気により誘引しながら被乾燥面に噴射する第１の乾燥運転で行う。
【０１３３】
図８に示すように、まだ操作がされていない状態のＴ０の時点では、ノズル部２０（洗浄ノズル部３３）の前後方向は後端の収納位置に配置されている。ノズル部２０の左右方向は、揺動駆動部７０に設けた中心部位置を検出する位置センサ（図示せず）の検出位置
に角度設定されている。この角度は中心角度となり空気噴出口２１と洗浄水噴出口２２の噴流角度が上方向に設定される。
【０１３４】
使用者が遠隔操作装置３００のおしりスイッチ３１２を押下操作するＴ１において、給水ポンプ３４が起動され、給水タンク５００に貯水されている洗浄水が温水加熱部３１に流れ込む。内蔵の流量センサ（図示せず）が水流を検出すると、温水加熱部３１への通電が開始され、加熱された温水が供給し始める。この時切換弁３２は汚物容器６００側の流路に設定されているので、充分に温まっていない温水は汚物容器６００内に排出される。
【０１３５】
温水加熱部３１からの出湯温度が所定の温度（例えば３６℃）に達した時点Ｔ２において、第１の電動モータ５３を運転させて洗浄ノズル部３３を中心部位置（例えば前方１００ｍｍ）まで前進させる。そしてＴ３において切換弁３２により洗浄水を洗浄ノズル部３３側に切換え、使用者の被洗浄面に洗浄水を噴出する。温水加熱部３１への電力制御は、出湯温度を検出する温度センサ（図示せず）の検出温度が設定温度（例えば４０℃）になるように公知ＰＩＤやＦＦ制御を用いて行う。また、洗浄水の流量は切換弁３２の弁開度を調整することにより使用者の好みの量に設定されている。このおしり洗浄における被洗浄面の濡れ状態は図１０（ａ）に示すように洗浄水が直接当たる中心部だけでなく、水滴が流れて周辺部を濡らしてしまう。
【０１３６】
おしり洗浄が終了し、使用者が遠隔操作装置３００の停止スイッチ３１１を押下操作する図８のＴ４において、切換弁３２により洗浄水を汚物容器６００側に切換え、洗浄ノズル部３３からの洗浄水噴出を停止すると同時に、温水加熱部３１への通電を停止し、第１の電動モータ５３を逆転させて洗浄ノズル部３３を収納位置まで後退させる。そしてＴ５で給水ポンプ３４を停止して、洗浄動作を終了する。
【０１３７】
なお本実施の形態では、おしり洗浄における動作を説明したが、遠隔操作装置３００のビデスイッチ３１３押下操作するビデ洗浄を押下操作する場合においても、基本となるシーケースは同様である。ただ、ビデ洗浄の場合は、ビデに対応する洗浄ノズル部位置と流量設定に変更される。
【０１３８】
次にＴ６において使用者が遠隔操作装置３００の乾燥スイッチ３１４を押下操作すると、ヒータ４４が通電され、ヒータ自身の温度上昇が開始される。このようにエアファン４１運転する前にヒータ４４に通電することにより、放熱が少ない状態でヒータが加熱されるので高速にヒータ温度を上昇させることができる。
【０１３９】
この時同時にエアポンプ５１が短時間（例えば１秒間）だけ運転され、加圧空気がノズル部２０の空気噴出口２１より一瞬噴出される。この動作は、ノズル部２０が収納位置にある状態で、ノズル部２０表面に付着した水滴を吹き飛ばして、使用者に対して水滴の再付着を防止する。
【０１４０】
Ｔ７でエアファン４１の運転を開始して、温風噴出口４２から温風を吹出す。吹出される温風温度は加熱されたヒータ４４を通過するため、始めから高温の温風温度となる。そして、ヒータ加熱量が制御され、高温（例えば６０℃）の温風が吹き出されるように設定される。そして温風噴出口４２から使用者の洗浄面である被乾燥面の略全面に対して送風される。
【０１４１】
その後、第１の電動モータ５３を運転させてノズル部２０を最前進位置（例えば前方１５０ｍｍ）まで前進させながら、第２の電動モータ５４を運転させてノズル部２０の左右角度を右端角度（例えば＋５０°）まで角度変更する。これにより、ノズル部の空気噴出口の位置を、加圧空気が被乾燥面の外縁部分（図１１におけるＥ）に移動した状態となる
。
【０１４２】
Ｔ８でエアポンプ５１が運転され、空気噴出口２１から使用者の局部の被乾燥面の外縁部分（図１１におけるＥ）に当たるように加圧空気が噴出される。
【０１４３】
Ｔ８からＴ９の第１のステップにおいて、ノズル駆動部５２の第２の電動モータ５４と第１の電動モータ５３の運転方向及び運転速度を制御して、ノズル部２０の前後駆動を所定範囲（例えば前方５０ｍｍから１５０ｍｍ）で高速に往復運転し、同時にノズル部２０の左右角度を右端角度から右側所定角度（例えば＋５０°から＋２０°）まで中心角度に向けてゆっくりと駆動させる。この第１のステップの動作は、ノズル部２０からの空気噴流が、使用者の被乾燥面の右側所定位置から前後方向に高速に移動しながら徐々に中心部に接近してくる。したがて、図１１の動作パターンＰ１に示すように、空気噴流当接範囲Ｅは被乾燥面Ｆの右端の接線方向に高速に往復移動する周期移動しながら中心部Ｇに向けて徐々に漸進移動するので、図のようにジグザグの移動軌跡が描かれる。この結果、図１０（ｂ）に示すように、洗浄水の噴出範囲よりも充分に外側から加圧空気の噴出を開始するので、被乾燥面の右側に拡がって付着した水滴を、中心部方向に集めながら吹き飛ばすことができる。
【０１４４】
図８のＴ９では一旦エアポンプ５１を停止して、ノズル部２０の左右角度を左端角度（例えば−５０°）まで角度変更する。そしてＴ１０において、エアポンプ５１の運転を再開して、加圧空気の噴射を開始する。
【０１４５】
そしてＴ１０からＴ１１の第２のステップにおいて、ノズル部２０の前後駆動を第１のステップと同様に所定範囲（例えば前方５０ｍｍから１５０ｍｍ）で高速に往復運転し、同時にノズル部２０の左右角度を左端角度から左側所定角度（例えば−５０°から−２０°）まで中心角度に向けてゆっくりと駆動させる。この第２のステップの動作は、ノズル部２０からの空気噴流が、使用者の被乾燥面の左側所定距離から前後方向に高速に移動する周期移動しながら徐々に中心部に漸進移動して接近してくる。したがて、図１１の動作パターンＰ２に示すように、空気噴流の当接範囲Ｅは被乾燥面Ｆの左端の接線方向に高速に往復移動する周期移動しながら中心部Ｇに向けて徐々に漸進移動するので、図のようにジグザグの移動軌跡が描かれる。この結果、図１０（Ｃ）に示すように、被乾燥面の左側に拡がって付着した水滴を、中心部方向に集めながら吹き飛ばすことができる。
【０１４６】
以上の第１のステップと第２のステップによって被洗浄面に付着して残る水滴は中心部を中心に前後残るのみとなる。
【０１４７】
第２のステップの終了時点Ｔ１１では、ノズル部２０を最前進位置まで前進させる。そして、Ｔ１１からＴ１２の第３のステップにおいて、ノズル部２０の前後駆動を最先進位置から中心部方向にゆっくり後退させながら、同時にノズル部２０の左右角度を右端角度から左端角度まで高速に往復駆動させる。この第３のステップの動作は、ノズル部２０からの空気噴流が、被乾燥面上を左右方向に高速に移動に移動しながら前方の所定位置から後方に向かって徐々に中心部に接近してくる。したがて、図１２の動作パターンＰ３に示すように、空気噴流の当接範囲Ｅは被乾燥面Ｆの先端の接線方向に高速に往復移動する周期移動をしながら中心部Ｇに向けて徐々に斬新移動するので、図のようにジグザグの移動軌跡が描かれる。この結果、被乾燥面の中心部Ｇより前方に残る水滴を、中心部Ｇ方向に集めながら吹き飛ばすことができる。
【０１４８】
Ｔ１２では一旦エアポンプ５１を停止して、ノズル部２０の前後方向位置を後部所定位置（例えば前方５０ｍｍ）まで移動させる。そしてＴ１３において、エアポンプ５１の運転を再開して、加圧空気の噴射を開始する。
【０１４９】
そしてＴ１３からＴ１４の第４のステップにおいて、ノズル部２０の前後駆動を後部所定位置から中心部方向にゆっくり前進させながら、同時にノズル部２０の左右角度を右端角度から左端角度まで高速に往復駆動させる。この第４のステップの動作は、ノズル部２０からの空気噴流が、被乾燥面上を左右方向に高速に移動に移動しながら後方の所定距離から前方に向かって徐々に中心部に接近してくる。したがて、図１２の動作パターンＰ４に示すように、空気噴流の当接範囲Ｅは被乾燥面Ｆの後端の接線方向に高速に往復移動する周期移動をしながら中心部Ｇに向けて徐々に漸進移動するので、図のようにジグザグの移動軌跡が描かれる。この結果、被乾燥面の中心部Ｇより後方に残る水滴を、中心部Ｇ方向に集めながら吹き飛ばすことができる。
【０１５０】
以上の第１から第４のステップによって被乾燥面に付着して残る水滴は中心部のみとなる。
【０１５１】
上述の第１から第４のステップでの被乾燥面に付着する水滴への作用を説明する。各ステップの動作中の被乾燥面への空気噴流の駆動方向が、中心部に向けて移動する速度より、中心部に対して略接線方向の移動速度の方を充分に速くしているので、被乾燥面に衝突して広がる空気流れ方向が、略接線方向に対して垂直方向の流れ成分が多くなる。したがって、この略接線方向に駆動する空気噴流と中心部の間に付着する水滴は、略接線方向に対して垂直方向の空気流に押されて中心部方向に移動するように作用する。そして徐々に空気噴流を中心部に接近させるので、中心部方向に集まってくる。この動きを第１から第４のステップにおいて右、左、前、後の４方向から行うことによって、水滴は中心部に集まる。このように第１から第４のステップが被乾燥面に付着する水滴を被乾燥面の中心部に集める工程となる。
【０１５２】
Ｔ１４では再びエアポンプ５１を停止して、ノズル部２０の前後方向位置を前方の所定位置（例えば前方１３０ｍｍ）まで移動させる。そしてＴ１５において、エアポンプ５１の運転を再開して、加圧空気の噴射を開始する。
【０１５３】
そして、Ｔ１５からＴ１６の第５のステップにおいて、ノズル部２０の前後駆動を前方の所定位置から後退を開始し、中心部を通過して、中心部より後方の所定距離（例えば前方５０ｍｍ）までをゆっくりと後退する。同時にノズル部２０の左右角度を右端角度から左端角度まで高速に往復駆動させる。この第５のステップの動作は、ノズル部２０からの空気噴流が、被乾燥面上を左右方向に高速に移動する周期移動をしながら前方の所定位置から後方に向かって徐々に漸進移動をして中心部に接近し、更に中心部を通過して後方の所定位置まで漸進移動する。したがって被乾燥面に対して空気噴流の当たる位置が前方から中心部を通って後方に徐々に移動するので、被乾燥面の中央部に残る水滴を、完全に吹き飛ばすことができる。すなわち、この第５のステップが集めた水滴を吹き飛ばす工程となる。
【０１５４】
Ｔ１６でエアポンプ５１を停止して、ノズル部２０の前後方向は後端の収納位置に移動させる。ノズル部２０の左右方向は、中心角度に戻す。
【０１５５】
乾燥が終了し、使用者が遠隔操作装置３００の停止スイッチ３１１を押下操作するＴ１７でヒータ４４の運転を停止する。
【０１５６】
そしてＴ１８でエアファン４１を停止することによって、ヒータ４４の余熱を減少させて乾燥運転が終了する。
【０１５７】
なお、加圧空気の噴出範囲については、直前の洗浄処理工程がビデ洗浄の場合にはビデ
洗浄に応じて設定した噴出範囲となる。また、直前の洗浄処理工程途中において洗浄位置を前方１００ｍｍから、例えば前方１１０ｍｍに調整した場合には被乾燥面は前方５０ｍｍから１６０ｍｍの広い面積となる。また、洗浄処理工程がおしり洗浄とビデ洗浄が連続して実施された場合には両方の被乾燥面を合わせて一つの被乾燥面とした噴出範囲に設定されて、前方５０ｍｍから１８０ｍｍとなる。移動軌跡については、これにともなって図１１においてＰ１及びＰ２の同じパターンで移動距離を広げることで乾燥処理工程が実施される。つまり、おしり洗浄処理に対応する被乾燥面とビデ洗浄処理に対応する被乾燥面とで重複する範囲を移動軌跡が重複しないように効率的に短時間で処理することができる。
【０１５８】
次に図９に示す「おしり洗浄」の「洗浄ムーブ」運転の制御動作を説明する。
【０１５９】
図９に示すＴ０時点からＴ３までは図８と同様の動作となるので説明を省略する。
【０１６０】
Ｔ３においておしり洗浄が開始され、Ｔ２０時点で使用者が洗浄位置を前方向に調整するため遠隔操作装置３００の位置調整スイッチ３２５（図２）を押下操作する。この操作に従って、第１の電動モータ５３が駆動し、ノズル部２０を所定量（例えば前方３ｍｍ）前進させ、洗浄位置が移動調整される。また、Ｔ２１時点で使用者が洗浄位置を左方向に調整するため位置調整スイッチ３２７（図２）を押下操作する。この操作に従って、第２の電動モータ５４が駆動し、ノズル部２０を所定量（例えば左３°）左回転させ、洗浄位置が移動調整される。このように、位置調整スイッチを押下操作するたびに所定量ずつノズル部２０を駆動することによって、使用者の所望する洗浄位置に移動調整することができる。
【０１６１】
そしてＴ２２時点とＴ２３時点で使用者が遠隔操作装置３００の洗浄ムーブの「狭」スイッチ３３２（図２）を押下操作する。Ｔ２２からＴ２３において、ノズル駆動部５２の第２の電動モータ５４と第１のモータ５３の運転方向及び運転速度を制御して、ノズル部２０の前後駆動を所定距離（例えば設定位置から前後方向に８ｍｍ）で中速（例えは１Ｈｚ）に往復運転し、同時にノズル部２０の左右角度を所定角度（例えば設定角度±３°）で高速（例えば５Ｈｚ）で往復駆動させる。したがて、洗浄水は予め設定した２次元的移動軌跡に沿って使用者の局部を左右に細かく揺れながら前後に往復駆動する。
【０１６２】
この洗浄ムーブ動作によって、洗浄の広がり感が向上し、洗浄性能も上がる。
【０１６３】
Ｔ２４時点とＴ２５時点で使用者が遠隔操作装置３００の洗浄ムーブの「中」スイッチ３３１（図２）を押下操作する。Ｔ２４からＴ２５において、上述の洗浄ムーブ「狭」の場合と同様の動作を行う。上述の「狭」と異なる点は、ノズル部２０の左右の往復角度の設定値を広くしている点にある。例えば左右の角度を設定角度±５°として、洗浄範囲を広くすることができる。
【０１６４】
Ｔ２６時点とＴ２７時点で使用者が遠隔操作装置３００の洗浄ムーブの「広」スイッチ３３１（図２）を押下操作する。Ｔ２６からＴ２７においても、上述の洗浄ムーブ「狭」の場合と同様の動作を行う。上述の「中」と異なる点は、ノズル部２０の左右の往復角度の設定値を更に広くしている点にある。例えば左右の角度を設定角度±７°として、洗浄範囲を更に広くすることができる。
【０１６５】
おしり洗浄が終了し、使用者が遠隔操作装置３００の停止スイッチ３１１を押下操作するＴ２８において、図８での説明と同様の終了動作を行う。なお、洗浄位置調整した設定値はこの終了動作まで記憶されており、上述の洗浄ムーブ動作が途中に操作されても、洗浄ムーブ動作を終えた段階で設定位置に復帰させる。
【０１６６】
次に、エアポンプ５１の配置について説明する。
【０１６７】
図１３は、本発明のポータブルトイレの第１実施形態における模式的断面図、図１４は、図１３に示したポータブルトイレにおけるＰ部拡大図、図１５は、図１４に示したＰ部の別の形態を示す拡大図、図１６は、図１４に示したＰ部の別の形態を示す拡大図、図１７は、図１３に示したポータブルトイレにおけるＰ部の別の配置場所を示す模式的断面図である。
【０１６８】
図１３及び図１４に示すように、便器部７００内には、第１の筐体８０と、エアポンプ５１と、第１の緩衝材９０とが配置されている。
【０１６９】
第１の筐体８０は、その上面が便器部７００の後方の上面に固定されている。この第１の筐体８０内には、エアポンプ５１が配置されている。エアポンプ５１は、その上面に設けられた第１の緩衝材９０により、第１の筐体８０内に固定されている。
【０１７０】
ここで、後方とは、便座部４００に着座した使用者の背面方向に対応し、上面とは、本体部２００が配置されている側に対応する。
【０１７１】
この構成により、エアポンプ５１の振動は第１の緩衝材９０により吸収されるため、エアポンプ５１の振動及びエアポンプ５１の振動により発生する騒音を十分に軽減することができる。
【０１７２】
なお、第１の筐体８０の配置場所については、便器部７００の後方であれば、特に限定されないが、例えば、図１７に示すように、第１の筐体８０を便器部７００の後方の底面に配置してもよい。
【０１７３】
これにより、使用者とエアポンプ５１との距離が離れることになり、エアポンプ５１の振動及びエアポンプ５１の振動により発生する騒音が使用者に伝わることを十分に軽減することができる。
【０１７４】
また、第１の筐体８０は、その上面が便器部７００の後方の上面に固定されているが、第１の筐体８０を便器部７００に固定できれば、特に限定されるものではなく、例えば、図１５に示すように、第１の筐体８０の側面にアーム部８０ａを設け、このアーム部８０ａにより、便器部７００に固定しても良い。さらに、図１６に示すように、便器部７００内に、第１の筐体８０は配置するための土台部８０ｂを設け、これに第１の筐体８０を配置してよい。
【０１７５】
これにより、第１の筐体８０を便器部７００の後方の上面と便器部７００の後方の底面との間に配置することが可能となり、第１の筐体８０の配置の自由度が向上する。
【０１７６】
さらに、第１の緩衝材９０は、エアポンプ５１の振動を吸収できれば、特に限定されないが、例えば、バネやダンパ等を採用することができる。
【０１７７】
また、第１の緩衝材９０は、エアポンプ５１の上面に設けられているが、エアポンプ５１を第１の筐体８０に固定し、かつ、エアポンプ５１の振動を吸収できれば、特に限定されるものではなく、エアポンプ５１の下面または側面に設けてもよい。
【０１７８】
（第２実施形態）
図１８は、本発明のポータブルトイレの第２実施形態を示す模式的断面図である。
【０１７９】
第２実施形態に係るポータブルトイレが、第１実施形態に係るポータブルトイレと異なるのは、以下の点である。
【０１８０】
図１８に示すように、第１の筐体８０は、便器部７００の前方の底面に配置されている。これにより、使用者とエアポンプとの距離が離れることになり、エアポンプ５１の振動及びエアポンプ５１の振動により発生する騒音が使用者に伝わることを十分に軽減することができる。
【０１８１】
なお、第１の筐体８０の配置場所としては、便器部７００の前方であれば、特に限定されないが、例えば、便器部７００の前方の上面、または、便器部７００の前方の上面と便器部７００の前方の底面との間に配置してもよい。
【０１８２】
（第３実施形態）
図１９は、本発明のポータブルトイレの第３実施形態を示す模式的断面図である。図２０は、図１９に示したポータブルトイレの別の形態を示す模式断面図である。
【０１８３】
第３実施形態に係るポータブルトイレが、第１実施形態及び第２の実施形態と異なるのは、以下の点である。
【０１８４】
図１９に示すように、第１の筐体８０、エアポンプ５１及び第１の緩衝材９０に加え、第２の筐体９１、給水ポンプ３４及び第２の緩衝材９２が、便器部７００内に配置されている。
【０１８５】
第２の筐体９１には、給水ポンプ３４が内蔵されており、この給水ポンプ３４は、第２の緩衝材９２により、第２の筐体９１に固定されている。
【０１８６】
したがって、給水ポンプ３４の振動が第２の緩衝材９２により吸収されるため、エアポンプ５１だけでなく、給水ポンプ３４の振動及び供水ポンプ３４の振動により発生する騒音を十分に軽減することができる。
【０１８７】
なお、本実施例では、第１の筐体及び第２の筐体を便器部７００の後方に配置しているが、第１の筐体及び第２の筐体は便器部７００内に配置されていれば、その配置場所は特に限定されるものではなく、例えば、第１の筐体８０および第２の筐体９１を便器部７００の前方に配置しても良い。また、第１の筐体と、第２の筐体とを別々の場所に配置してもよく、例えば、第１の筐体を便器部７００の前方に配置し、第２の筐体を便器部７００の後方に配置してもよい。
【０１８８】
さらに、本実施例では、エアポンプ５１と、給水ポンプ３４とが別々の筐体に内蔵されているが、図２０に示すように、エアポンプ５１と、給水ポンプ３４とが１つの筐体に内蔵される構成としてもよい。
【０１８９】
以上、本発明のポータブルトイレにおける第１実施形態〜第３実施形態のポータブルトイレについて説明したが、本発明のポータブルトイレは上述した第１実施形態〜第３実施形態のポータブルトイレに限定されるものではない。
【０１９０】
例えば、本発明のポータブルトイレにおいては、筐体の配置場所は、便器部の前方また後方に限定されるものではない。筐体の配置場所は便器部内であればよく、例えば、便器部の前方と便器部の後方との間（汚物容器の下）に配置してもよい。
【産業上の利用可能性】
【０１９１】
本発明のポータブルトイレは、エアポンプや水ポンプを備えた場合であっても振動や騒音を低減することが可能となるので、居間や寝室などで時間帯を問わず使用される介護機器や福祉機器の分野・用途に好適に適用することができる。
【符号の説明】
【０１９２】
２０  ノズル部
３０  洗浄水供給部
３４  給水ポンプ
４０  温風供給部
５０  加圧空気供給部
５１  エアポンプ
８０  第１の筐体
９０  第１の緩衝材
９１  第２の筐体
９２  第２の緩衝材
１００  ポータブルトイレ
２００  本体部
３００  遠隔操作装置
４００  便座部
５００  給水タンク
６００  汚物容器
７００  便器部
【図１】
2011156140.tif 000003
【図２】
2011156140.tif 000004
【図３】
2011156140.tif 000005
【図４】
2011156140.tif 000006
【図５】
2011156140.tif 000007
【図６】
2011156140.tif 000008
【図７】
2011156140.tif 000009
【図８】
2011156140.tif 000010
【図９】
2011156140.tif 000011
【図１０】
2011156140.tif 000012
【図１１】
2011156140.tif 000013
【図１２】
2011156140.tif 000014
【図１３】
2011156140.tif 000015
【図１４】
2011156140.tif 000016
【図１５】
2011156140.tif 000017
【図１６】
2011156140.tif 000018
【図１７】
2011156140.tif 000019
【図１８】
2011156140.tif 000020
【図１９】
2011156140.tif 000021
【図２０】
2011156140.tif 000022
【図２１】
2011156140.tif 000023
【図２２】
2011156140.tif 000024
【図２３】
2011156140.tif 000025